(57)【要約】 【課題】ワイヤレスマイクロホンを用いて音声を伝送するシステムにおいて、レシーバー側の位置から、トランスミッターでの音声歪みの有無を簡単に確認できるようにする。【解決手段】トランスミッター１は、内部での音声歪みの検出結果を示すステータスデータを電波として送信する。レシーバー２は、受信した電波からこのステータスデータを取得して、通信端子から出力する。レシーバー２から音声信号が入力される撮像装置３では、レシーバー２からのこのステータスデータが通信端子に入力され、このステータスデータを表示手段４に表示させる。【選択図】図４
2008258970.tif 000002
【特許請求の範囲】
【請求項１】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する撮像装置とを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記撮像装置は、
前記音声受信装置の前記通信端子から出力されたデータを入力するための通信端子と、
表示手段と、
前記通信端子に入力した前記ステータスデータに基づき、前記音声送信装置での音声歪みの有無を前記表示手段に表示させる制御手段と
を備えたことを特徴とするワイヤレス音声伝送システム。
【請求項２】
請求項１に記載のワイヤレス音声伝送システムにおいて、
前記撮像装置は、
無線通信インタフェースと、
前記音声送信装置への音声信号の入力レベルを変更するための操作手段と
をさらに備え、
前記撮像装置の前記制御手段は、前記操作手段が操作されたことに応じて、該操作の内容を示す制御データを前記無線通信インタフェースから送信し、
前記音声送信装置は、
前記撮像装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項３】
請求項２に記載のワイヤレス音声伝送システムにおいて、
前記撮像装置の前記制御手段は、前記操作手段が操作されたことに応じて、該操作の内容を示す制御データを前記無線通信インタフェースから送信するとともに、前記音声送信装置への音声信号の入力レベルを下げる操作が前記操作手段で行われたことに応じて、前記音声受信装置から前記撮像装置に入力された音声信号のレベルを上げる制御を行う
ことを特徴とするワイヤレス音声伝送システム。
【請求項４】
請求項１に記載のワイヤレス音声伝送システムにおいて、
前記撮像装置は、
前記音声送信装置への音声信号の入力レベルを変更するための操作手段
をさらに備え、
前記撮像装置の前記制御手段は、前記操作手段が操作されたことに応じて、該操作の内容を示す制御データを前記通信端子から前記音声受信装置に出力し、
前記音声受信装置は、
無線通信インタフェースと
前記撮像装置から入力された前記制御データを前記無線通信インタフェースから送信する制御手段と
をさらに備え、
前記音声送信装置は、
前記音声受信装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項５】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する記録装置とを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記記録装置は、
前記音声受信装置の前記通信端子から出力されたデータを入力するための通信端子と、
表示手段と、
前記通信端子に入力した前記ステータスデータに基づき、前記音声送信装置での音声歪みの有無を前記表示手段に表示させる制御手段と
を備えたことを特徴とするワイヤレス音声伝送システム。
【請求項６】
請求項５に記載のワイヤレス音声伝送システムにおいて、
前記記録装置は、
無線通信インタフェースと、
前記音声送信装置への音声信号の入力レベルを変更するための操作手段と
をさらに備え、
前記記録装置の前記制御手段は、前記操作手段が操作されたことに応じて、該操作の内容を示す制御データを前記無線通信インタフェースから送信し、
前記音声送信装置は、
前記記録装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項７】
請求項６に記載のワイヤレス音声伝送システムにおいて、
前記記録装置の前記制御手段は、前記操作手段が操作されたことに応じて、該操作の内容を示す制御データを前記無線通信インタフェースから送信するとともに、前記音声送信装置への音声信号の入力レベルを下げる操作が前記操作手段で行われたことに応じて、前記音声受信装置から前記記録装置に入力された音声信号のレベルを上げる制御を行う
ことを特徴とするワイヤレス音声伝送システム。
【請求項８】
請求項５に記載のワイヤレス音声伝送システムにおいて、
前記記録装置は、
前記音声送信装置への音声信号の入力レベルを変更するための操作手段
をさらに備え、
前記記録装置の前記制御手段は、前記操作手段が操作されたことに応じて、該操作の内容を示す制御データを前記通信端子から前記音声受信装置に出力し、
前記音声受信装置は、
無線通信インタフェースと
前記記録装置から入力された前記制御データを前記無線通信インタフェースから送信する制御手段と
をさらに備え、
前記音声送信装置は、
前記音声受信装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項９】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有するオーディオミキサーとを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記オーディオミキサーは、
前記音声受信装置の前記通信端子から出力されたデータを入力するための通信端子と、
表示手段と、
前記通信端子に入力した前記ステータスデータに基づき、前記音声送信装置での音声歪みの有無を前記表示手段に表示させる制御手段と
を備えたことを特徴とするワイヤレス音声伝送システム。
【請求項１０】
請求項９に記載のワイヤレス音声伝送システムにおいて、
前記オーディオミキサーは、
無線通信インタフェースと、
前記音声送信装置への音声信号の入力レベルを変更するための操作手段と
をさらに備え、
前記オーディオミキサーの前記制御手段は、前記操作手段が操作されたことに応じて、該操作の内容を示す制御データを前記無線通信インタフェースから送信し、
前記音声送信装置は、
前記オーディオミキサーの前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項１１】
請求項１０に記載のワイヤレス音声伝送システムにおいて、
前記オーディオミキサーの前記制御手段は、前記操作手段が操作されたことに応じて、該操作の内容を示す制御データを前記無線通信インタフェースから送信するとともに、前記音声送信装置への音声信号の入力レベルを下げる操作が前記操作手段で行われたことに応じて、前記音声受信装置から前記オーディオミキサーに入力された音声信号のレベルを上げる制御を行う
ことを特徴とするワイヤレス音声伝送システム。
【請求項１２】
請求項９に記載のワイヤレス音声伝送システムにおいて、
前記オーディオミキサーは、
前記音声送信装置への音声信号の入力レベルを変更するための操作手段
をさらに備え、
前記オーディオミキサーの前記制御手段は、前記操作手段が操作されたことに応じて、該操作の内容を示す制御データを前記通信端子から前記音声受信装置に出力し、
前記音声受信装置は、
無線通信インタフェースと
前記オーディオミキサーから入力された前記制御データを前記無線通信インタフェースから送信する制御手段と
をさらに備え、
前記音声送信装置は、
前記音声受信装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレス音声伝送システム。
【請求項１３】
マイクロホンと、該マイクロホンからの音声信号によって変調した電波を送信する変調・送信手段とを有する音声送信装置と、
複数台の前記音声送信装置から送信された電波をそれぞれ受信して音声信号を復調する受信・復調手段と、前記受信・復調手段によって復調された音声信号を出力する音声出力端子とを有する少なくとも１台の音声受信装置と、
各々の前記音声受信装置に接続された端末装置と
を含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
前記複数台の前記音声送信装置から受信した電波からそれぞれ前記ステータスデータを取得し、該ステータスデータを前端末装置に送信するデータ処理手段
を備え、
前記端末装置は、
表示手段と、
前記音声受信装置から送信された前記複数台の前記音声送信装置についての前記ステータスデータを、前記表示手段に一覧表示させる制御手段と
を備えたことを特徴とするワイヤレス音声伝送システム。
【請求項１４】
マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と
から成るワイヤレスマイクロホンにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備えたことを特徴とするワイヤレスマイクロホン。
【請求項１５】
請求項１４に記載のワイヤレスマイクロホンにおいて、
前記音声送信装置は、
無線通信インタフェースと、
前記マイクロホンからの音声信号の入力レベルを調整するレベル調整手段と、
音声信号の入力レベルを変更する制御データが前記無線通信インタフェースに受信されたことに応じて、該制御データに基づいて前記レベル調整手段を制御する制御手段と
をさらに備えたことを特徴とするワイヤレスマイクロホン。
【請求項１６】
請求項１４に記載のワイヤレスマイクロホンにおいて、
前記音声受信装置は、
無線通信インタフェースと、
前記音声送信装置への音声信号の入力レベルを変更するための操作手段と、
前記操作手段の操作内容を示す制御データを前記無線通信インタフェースから送信させる制御手段と
をさらに備えており、
前記音声送信装置は、
前記音声受信装置の前記無線通信インタフェースから送信されたデータを受信するための無線通信インタフェースと、
前記マイクロホンからの音声信号の入力レベルを調整するレベル調整手段と、
前記無線通信インタフェースで受信した前記制御データに基づいて前記レベル調整手段を制御する制御手段と
をさらに備えたことを特徴とするワイヤレスマイクロホン。
【請求項１７】
マイクロホンと、
前記マイクロホンからの音声信号によって変調した電波を送信する変調・送信手段と、
音声信号の歪みを検出する検出手段と、
前記検出手段での検出結果を示すステータスデータを電波として送信するデータ送信手段と
を備えたことを特徴とする音声送信装置。
【請求項１８】
請求項１７に記載の音声送信装置において、
無線通信インタフェースと、
前記マイクロホンからの音声信号の入力レベルを調整するレベル調整手段と、
音声信号の入力レベルを変更する制御データが前記無線通信インタフェースに受信されたことに応じて、該制御データに基づいて前記レベル調整手段を制御する制御手段と
をさらに備えたことを特徴とする音声送信装置。
【請求項１９】
マイクロホンと、
前記マイクロホンからの音声信号によって変調した電波を送信する変調・送信手段と、
音声信号の歪みを検出する検出手段と、
前記検出手段での検出結果を示すステータスデータを電波として送信するデータ送信手段と
を有する音声送信装置から送信された電波を受信する音声受信装置において、
電波を受信して音声信号を復調する受信・復調手段と、
前記受信・復調手段によって復調された音声信号を出力する音声出力端子と、
通信端子と、
受信した電波から前記ステータスデータを取得し、該ステータスデータを前記通信端子から出力させるデータ処理手段と
を備えたことを特徴とする音声受信装置。
【請求項２０】
音声出力端子及び通信端子を有する音声受信装置から音声信号を入力する音声入力端子を有する撮像装置において、
前記音声受信装置の前記通信端子から出力されたデータを入力するための通信端子と、
表示手段と、
前記音声受信装置に音声信号を送信する音声送信装置での音声信号の歪みの検出結果を示すステータスデータが前記通信端子に入力されたことに基づき、前記音声送信装置の音声歪みの有無を前記表示手段に表示させる制御手段と
を備えたことを特徴とする撮像装置。
【請求項２１】
音声出力端子及び通信端子を有する音声受信装置から音声信号を入力する音声入力端子を有する記録装置において、
前記音声受信装置の前記通信端子から出力されたデータを入力するための通信端子と、
表示手段と、
前記音声受信装置に音声信号を送信する音声送信装置での音声信号の歪みの検出結果を示すステータスデータが前記通信端子に入力されたことに基づき、前記音声送信装置の音声歪みの有無を前記表示手段に表示させる制御手段と
を備えたことを特徴とする記録装置。
【請求項２２】
音声出力端子及び通信端子を有する音声受信装置から音声信号を入力する音声入力端子を有するオーディオミキサーにおいて、
前記音声受信装置の前記通信端子から出力されたデータを入力するための通信端子と、
表示手段と、
前記音声受信装置に音声信号を送信する音声送信装置での音声信号の歪みの検出結果を示すステータスデータが前記通信端子に入力されたことに基づき、前記音声送信装置の音声歪みの有無を前記表示手段に表示させる制御手段と
を備えたことを特徴とするオーディオミキサー。
【発明の詳細な説明】
【技術分野】
【０００１】
本発明は、ワイヤレスマイクロホンを用いて撮像装置，記録装置またはオーディオミキサーに音声を伝送させるシステムや、そうしたシステムを構成するワイヤレスマイクロホン，音声送信装置，音声受信装置，撮像装置，記録装置，オーディオミキサーに関する。
【背景技術】
【０００２】
近年、テレビジョン放送の分野では、ワイヤレスマイクロホンを用いて音声を伝送することが一般的になっている。図１は、ワイヤレスマイクロホンの外観例を示す図である。このうち、図１Ａは、音声の送信側の装置であるワイヤレスマイクロホントランスミッター（以下トランスミッターと呼ぶ）を示している。各トランスミッター８１，８２は、基本的な構成として、マイクロホン（トランスミッター８２の場合にはケーブルで接続されたピンマイクであるが、ピンマイクは図示を省略している）と、そのマイクロホンからの音声信号によって変調した電波を送信する変調・送信手段とを有している。トランスミッター８１は、手で握るハンドマイクタイプのトランスミッターである。トランスミッター８２は、腰のベルト等に取り付けるタイプのトランスミッターである。
【０００３】
図１Ｂは、音声の受信側の装置であるワイヤレスマイクロホンレシーバー（以下レシーバーと呼ぶ）を示している。各レシーバー８３，８４は、基本的な構成として、トランスミッター８１やトランスミッター８２から送信された電波を受信して音声信号を復調する受信・復調手段と、この復調した音声信号を外部に出力する出力端子とを有している。レシーバー８３は、ポータブルタイプのレシーバーである。レシーバー８４は、据置きタイプのレシーバーであり、複数台（例えば４台）のトランスミッターからの電波を受信可能である。
【０００４】
図２は、ＥＮＧ取材での音声収録のために図１のトランスミッター８１及びレシーバー８３を用いた音声伝送システムを例示する図である。図２Ａの例では、トランスミッター８１は、インタビューを行うアナウンサーが使用する。レシーバー８３は、レコーダー（ＶＴＲあるいは光ディスク装置）一体型のビデオカメラ９１に設けられたスロットに装着（またはケーブルでビデオカメラ９１に接続）する。そして、レシーバー８３からビデオカメラ９１に入力された音声信号を、カメラマン（図示略）がビデオカメラ９１で撮影する映像とともにビデオカメラ９１に収録する。
【０００５】
図２Ｂの例では、トランスミッター８１はアナウンサーが使用し、レシーバー８３は、オーディオミキサー９２にケーブルで接続する。そして、レシーバー８３からオーディオミキサー９２に入力された音声信号を、音声担当のスタッフ（図示略）がオーディオミキサー９２でミキシングまたはスイッチングする。オーディオミキサー９２から出力した音声信号は、図示しないＶＴＲ（または、オーディオレコーダーや、レコーダー一体型のビデオカメラ）に収録される。
【０００６】
図３は、スタジオ内での多チャンネルの音声信号の伝送のために、図１のトランスミッター８１，８２とレシーバー８４とをそれぞれ複数台用いたシステムを例示する図である。各トランスミッター８１，８２は、番組出演者等（図示略）が使用する。各トランスミッター８１，８２から送信された電波は、各レシーバー８４に共通に設けられたアンテナ９１で受信される。各レシーバー８４から出力された多チャンネルの音声信号は、オーディオミキサー９２に送られる。各レシーバー８４で受信している音声信号レベルや周波数等のデータは、ハブ９３を介してパーソナルコンピュータ９４に送られる。パーソナルコンピュータ９４のディスプレイには、各チャンネルの音声信号の周波数，音声出力レベル等が画面表示される。
【０００７】
ところで、こうしたワイヤレスマイクロホンを用いて音声を収録する際に、話者の声が予想外に大きかったり周囲に大きな雑音（車の騒音等）が発生したことにより、トランスミッターの入力レベルの設定（アッテネータでの減衰量の設定）時に想定したよりも過大な音声がトランスミッターに入力すると、トランスミッター内で音声信号に歪みが発生してしまう。
【０００８】
従来のワイヤレスマイクロホンでは、こうした音声歪みを、トランスミッター内で検出してトランスミッター自体の表示部（発光ダイオード，液晶ディスプレイ等）で表示するようになっており、この表示部を見て音声歪みの有無を確認するようになっていた。
【０００９】
また、別の方法として、レシーバーのほうの音声出力端子にヘッドホンやスピーカを接続して音声を実際に聴くことによって音声歪みの有無を確認したり、オーディオミキサーのオーディオレベルメータを見て音声歪みの有無を確認することも行われていた。
【００１０】
しかし、トランスミッターは小型であるため表示部の表示スペースが狭い。また、図２に示したようなＥＮＧ取材の場合には、表示部がアナウンサーの手や衣服に隠れていたりして、表示部が見えないことが少なくない。また、図３に示したようなスタジオ内のシステムでは、トランスミッターとレシーバーの設置場所とが離れていることが多く、通常はレシーバー側の位置からはトランスミッターの表示部を見ることはできない。
【００１１】
他方、音声を実際に聴いて音声歪みの有無を確認する方法は、ヘッドホンやスピーカといった機材が必要になる上、知識や経験が必要となり、人によって判断にばらつきも生じる。そして、機材が準備できない場合や知識や経験が不足していた場合、取材した素材が使えなくなるなどの問題も生じる。
【００１２】
また、オーディオミキサーのオーディオレベルメータを見て確認する方法では、オーディオミキサーへの入力音声信号のレベルがオートゲインコントローラや可変ボリューム（フェーダ）で調整されていると、本来のトランスミッターへの入力音声レベルがオーディオレベルメータに表示されなくなるので、音声歪みの有無を確認することができない。そのため、本来のトランスミッターへの入力音声レベルが表示されるようにオーディオミキサーの設定を変更しなければならないので、設定のための知識や経験が必要となる上に、手間がかかる。
【００１３】
また特に、図３に例示したように多数のトランスミッターを用いる多チャンネル運用の場合には、どのトランスミッターに音声歪みが発生しているのかを特定するのには非常に手間がかかる。
【００１４】
なお、従来、ワイヤレスマイクロホンを用いたシステムにおいて、レシーバーが、電波の受信レベルに基づいて電波の空き周波数を検出し、検出した空き周波数を示す情報を通信用コネクタから出力する（レシーバーから音声信号を入力するビデオカメラやオーディオミキサーではこの情報を入力して表示部に表示する）ことにより、ビデオカメラやオーディオミキサーの操作者が、空き周波数を確認してワイヤレスマイクロホンシステムの使用周波数を設定できるようにした技術は提案されていた（特許文献１参照）。
【００１５】
【特許文献１】特開２００７−３６７３５号公報
【発明の開示】
【発明が解決しようとする課題】
【００１６】
しかし、上記特許文献１で提案された技術は、レシーバーの側で電波の空き周波数を簡単に確認可能にするための技術であり、レシーバーの側の位置からトランスミッターでの音声歪みの有無を簡単に確認可能にするための技術ではなかった。
【００１７】
本発明は、上述の点に鑑み、図２や図３に例示したような、ワイヤレスマイクロホンを用いて音声を伝送するシステムにおいて、レシーバー側の位置から、トランスミッターでの音声歪みの有無を簡単に確認できるようにすることを課題としてなされたものである。
【課題を解決するための手段】
【００１８】
本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する撮像装置とを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記撮像装置は、
前記音声受信装置の前記通信端子から出力されたデータを入力するための通信端子と、
表示手段と、
前記通信端子に入力した前記ステータスデータを前記表示手段に表示させる制御手段と
を備えたワイヤレス音声伝送システムである。
【００１９】
また本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有する記録装置とを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記記録装置は、
前記音声受信装置の前記通信端子から出力されたデータを入力するための通信端子と、
表示手段と、
前記通信端子に入力した前記ステータスデータを前記表示手段に表示させる制御手段と
を備えたワイヤレス音声伝送システムである。
【００２０】
また本発明は、マイクロホンと、該マイクロホンからの音声信号によって変調した電波を送信する変調・送信手段とを有する音声送信装置と、
前記音声送信装置から送信された電波を受信して音声信号を復調する受信・復調手段と、前記受信・復調手段によって復調された音声信号を出力する音声出力端子とを有する音声受信装置と、
前記音声受信装置から出力される音声信号を入力する音声入力端子を有するオーディオミキサーとを含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
通信端子と、
受信した電波から前記ステータスデータを取得し、該ステータスデータを前記通信端子から出力させるデータ処理手段と
を備え、
前記オーディオミキサーは、
前記音声受信装置の前記通信端子から出力されたデータを入力するための通信端子と、
表示手段と、
前記通信端子に入力した前記ステータスデータを前記表示手段に表示させる制御手段と
を備えたワイヤレス音声伝送システムである。
【００２１】
また本発明は、マイクロホンと、該マイクロホンからの音声信号によって変調した電波を送信する変調・送信手段とを有する音声送信装置と、
複数台の前記音声送信装置から送信された電波をそれぞれ受信して音声信号を復調する受信・復調手段と、前記受信・復調手段によって復調された音声信号を出力する音声出力端子とを有する少なくとも１台の音声受信装置と、
各々の前記音声受信装置に接続された端末装置と
を含むワイヤレス音声伝送システムにおいて、
前記音声送信装置は、
音声信号の歪みを検出する検出手段と、
前記検出手段での検出結果を示すステータスデータを電波として送信するデータ送信手段と
を備え、
前記音声受信装置は、
前記複数台の前記音声送信装置から受信した電波からそれぞれ前記ステータスデータを取得し、該ステータスデータを前端末装置に送信するデータ処理手段
を備え、
前記端末装置は、
表示手段と、
前記音声受信装置から送信された前記複数台の前記音声送信装置についての前記ステータスデータを、前記表示手段に一覧表示させる制御手段と
を備えたワイヤレス音声伝送システムである。
【００２２】
また本発明は、これらのワイヤレス音声伝送システムを構成するワイヤレスマイクロホン，音声送信装置，音声受信装置，撮像装置，記録装置及びオーディオミキサーである。
【００２３】
本発明では、ワイヤレスマイクロホンを構成する音声送信装置（トランスミッター）に、内部の検出手段での音声歪みの検出結果を示すステータスデータを電波として送信するデータ送信手段が設けられている。
【００２４】
音声受信装置（レシーバー）では、データ処理手段により、音声送信装置から受信した電波からこのステータスデータが取得されて、このステータスデータが通信端子から出力される。
【００２５】
このワイヤレスマイクロホンを用いて音声信号が入力される撮像装置や記録装置やオーディオミキサーでは、この音声受信装置からのステータスデータが通信端子に入力される。そして、撮像装置や記録装置やオーディオミキサー内の制御手段が、このステータスデータを、撮像装置や記録装置やオーディオミキサーに設けられている表示手段に表示させる。
【００２６】
また、複数台の音声送信装置から送信された音声信号を少なくとも１台の音声受信装置で受信する多チャンネル運用のシステムの場合には、音声受信装置では、データ処理手段により、複数台の音声送信装置から受信した電波からそれぞれこのステータスデータが取得されて、これらのステータスデータが端末装置に送信される。
【００２７】
そして、端末装置内の制御手段が、音声受信装置から送信された複数台の音声送信装置についてのステータスデータを、端末装置に設けられている表示手段に一覧表示させる。
【００２８】
このように、音声送信装置内部での音声歪みの検出結果が、音声受信装置に電波として送信されて、音声受信装置から音声信号が入力される撮像装置，記録装置，オーディオミキサーの表示手段や、音声受信装置に接続された端末装置の表示手段に表示される。
【００２９】
この表示を見ることにより、音声受信装置（レシーバー）側の位置から、音声送信装置（トランスミッター）での音声歪みの有無を簡単に確認できるようになる。
【００３０】
また、多チャンネル運用の場合にも、各音声送信装置内部での音声歪みの検出結果が一台の端末装置の表示手段に一覧表示されるので、どの音声送信装置に音声歪みが発生しているのかを簡単に確認することができる。
【発明の効果】
【００３１】
本発明によれば、ワイヤレスマイクロホンを用いて音声を伝送するシステムにおいて、レシーバー側の位置から、トランスミッターでの音声歪みの有無を簡単に確認できるという効果が得られる。
【００３２】
また、多数のトランスミッターを用いる多チャンネル運用の場合に、どのトランスミッターに音声歪みが発生しているのかを簡単に確認できるという効果も得られる。
【発明を実施するための最良の形態】
【００３３】
以下、本発明の実施の形態を図面を用いて具体的に説明する。なお、以下では、ＥＮＧ取材のためにワイヤレスマイクロホンからビデオカメラやオーディオミキサーに音声信号を入力させるシステムと、スタジオ内での多チャンネルの音声信号の伝送のために複数台のワイヤレスマイクロホンを用いたシステムとについてそれぞれ説明する。
【００３４】
〔ビデオカメラに音声信号を入力させるシステム〕
図４は、本発明を適用した音声伝送システムの一例を示す図である。このシステムは、ＥＮＧ取材での音声収録のために、ワイヤレスマイクロホンを用いて伝送した音声を、レコーダー一体型のビデオカメラに入力させるようにしたものである。
【００３５】
ワイヤレスマイクロホントランスミッター（以下トランスミッターと呼ぶ）１は、インタビューを行うアナウンサーが使用する。図ではトランスミッター１をハンドマイクタイプのものとして示しているが、トランスミッター１は腰のベルト等に取り付けるタイプのもの（図１Ａに示したトランスミッター８２のような形状のもの）であってもよい。
【００３６】
ワイヤレスマイクロホンレシーバー（以下レシーバーと呼ぶ）２は、レコーダー（ＶＴＲあるいは光ディスク装置）一体型のビデオカメラ３に設けられたスロットに装着（またはケーブルでビデオカメラ３に接続）される。そして、トランスミッター１からレシーバー２に伝送される音声信号を、レシーバー２からビデオカメラ３に入力させて、カメラマン（図示略）がビデオカメラ３で撮影する映像とともにビデオカメラ３に収録する。
【００３７】
このシステムでは、ビデオカメラ３で撮影を行うカメラマンが、ビデオカメラ３のビューファインダー４を見ることにより、トランスミッター１の音声歪みの有無を確認するようになっている。さらに、トランスミッター１で音声歪みが発生した場合、カメラマンが、ビデオカメラ３の操作パネルを操作することによってトランスミッター１の入力音声レベルを調整するようになっている。
【００３８】
次に、このような方法での音声歪みの確認を可能にするためのトランスミッター１，レシーバー２の構成やビデオカメラ３の構成について説明する。
【００３９】
図５は、トランスミッター１及びレシーバー２の構成例を示すブロック図である。トランスミッター１には、マイクロホン１０と、マイクロホン１０からの音声信号のレベルを減衰させて一定レベルに維持するためのＡＴＴ（アッテネータ）１１と、ＡＴＴ１１からの音声信号を所望のレベルに増幅するためのアンプ１２とが設けられている。トランスミッター１が腰のベルト等に取り付けるタイプのものである場合には、マイクロホン１０は、ケーブルで接続されたピンマイクである。ＡＴＴ１１での減衰量（例えば０ｄＢ，−３ｄＢ，−６ｄＢ，…というような３ｄＢ単位での減衰量）やアンプ１２の出力レベルは、トランスミッター１の操作部（図示略）を操作することによって設定される。
【００４０】
また、トランスミッター１には、アンプ１２からの音声信号をアナログ／デジタル変換するＡ／Ｄ変換器１３と、Ａ／Ｄ変換器１３からのデジタル音声信号をパケット化するパケット化回路１４と、パケット化回路１４から出力されたパケット信号によって変調した電波を送信する変調回路１５，アンプ１６及び送信アンテナ１７とが設けられている。
【００４１】
また、トランスミッター１には、音声歪み検出回路１８と、ＣＰＵ１９と、ブルートゥース（Blue tooth）規格に準拠した無線送受信部２０とが設けられている。
【００４２】
音声歪み検出回路１８は、アンプ１２からの音声信号のレベルがトランスミッター１の操作部での設定レベルを超えているか否かを判別することにより、トランスミッター１での音声信号の歪みの有無を検出する回路である。音声歪み検出回路１８からは、検出結果を示す信号がＣＰＵ１９に送られる。
【００４３】
ＣＰＵ１９には、パケット化回路１４を制御するプログラムとして、音声歪み検出回路１８での音声歪みの検出結果を示すステータスデータを付加したパケット信号を生成させるプログラムが格納されている。
【００４４】
レシーバー２には、トランスミッター１から送信された電波を受信してパケット信号を復調する受信アンテナ２１，アンプ２２及び復調回路２３と、復調回路２３で復調されたパケット信号からデジタル音声信号と前述の音声歪みのステータスデータとをそれぞれ抽出するアンパケット化回路２４と、アンパケット化回路２４で抽出されたデジタル音声信号をデジタル／アナログ変換するＤ／Ａ変換器２５と、Ｄ／Ａ変換器２５からのアナログ音声信号を出力する音声出力端子２６とが設けられている。
【００４５】
また、レシーバー２には、ＣＰＵ２７と、シリアル通信用の通信端子２８とが設けられている。
【００４６】
アンパケット化回路２４で抽出された音声歪みのステータスデータは、ＣＰＵ２７に送られる。ＣＰＵ２７は、この音声歪みのステータスデータを通信端子２８から出力する。
【００４７】
図４のビデオカメラ３は、撮像系，映像信号処理系，音声信号処理系，記録再生系の部分については、通常のレコーダー一体型のビデオカメラと全く同様な構成をしている。図６は、ビデオカメラ３の構成のうち、本発明に関連する部分のみを示すブロック図である。
【００４８】
ビデオカメラ３には、レシーバー２の音声出力端子２６（図５）から出力されたアナログ音声信号を入力するための音声入力端子４１と、レシーバー２の通信端子２８（図５）から出力されたデータを入力するための通信端子４２とが設けられている。
【００４９】
音声入力端子４１に入力したアナログ音声信号は、音声信号処理系の一部である入力アンプ４３及び可変ボリューム４４でレベルを調整された後、音声信号処理系のその他回路（図示略）での処理を経て記録再生系（図示略）に送られる。通信端子４２に入力したデータは、ビデオカメラ３内を制御するＣＰＵ４５に送られる。
【００５０】
ＣＰＵ４５は、通信端子４２から送られる前述の音声歪みのステータスデータに基づき、ＬＣＤドライバ４６（図４のビューファインダー４を構成している液晶ディスプレイを駆動する回路）を制御して、トランスミッター１の音声歪みの有無をビューファインダー４に表示させる。
【００５１】
図７は、ビューファインダー４でのこの音声歪みの有無の表示例を示す図である。音声歪みが発生している場合には、この図７のように、撮影中の映像が表示されている画面の一角に、‘ＴＸ  ＰＥＡＫ’という文字（ＴＸはトランスミッターの意味）から成るインジケータを表示する。他方、音声歪みが発生していない場合には、こうしたインジケータを表示しない。
【００５２】
図６に示すように、ビデオカメラ３の操作パネル４７には、トランスミッター１のＡＴＴ１１（図５）での減衰量を例えば０ｄＢ，−３ｄＢ，−６ｄＢ，…というような３ｄＢ単位で調整するための（すなわちトランスミッター１への音声信号の入力レベルを変更するための）調整ボタン４７ａが設けられている。さらに、操作パネル４７には、この調整ボタン４７ａによる減衰量とビデオカメラ３内の可変ボリューム４４の調整量の対応関係（例えば、ＡＴＴ１１で音声レベルを３ｄＢ下げた場合に、可変ボリューム４４で音声レベルを何ｄＢ上げるかという対応関係）を設定するための設定ボタン４７ｂが設けられている。
【００５３】
また、ビデオカメラ３には、ブルートゥース規格に準拠した無線送受信部４８が設けられている。
【００５４】
ＣＰＵ４５は、調整ボタン４７ａが操作されると、その操作内容を示す制御データを、無線送受信部４８から、トランスミッター１の無線送受信部２０（図５）に送信する。
【００５５】
トランスミッター１のＣＰＵ１９（図５）は、無線送受信部２０に受信されたこの制御データに基づいてＡＴＴ１１（図５）での減衰量を制御する。
【００５６】
またＣＰＵ４５は、設定ボタン４７ｂで設定が行われている場合には、調整ボタン４７ａが操作されたことに応じて、設定ボタン４７ｂでの設定内容に基づいて可変ボリューム４４を制御する。
【００５７】
この図４のシステムでは、トランスミッター１内部での音声歪みの検出結果を示すステータスデータが、トランスミッター１から電波として送信される。
【００５８】
レシーバー２では、トランスミッター１から受信した電波からこのステータスデータが取得されて、このステータスデータが通信端子２８から出力される。
【００５９】
ビデオカメラ３では、レシーバー２から通信端子４２に入力されるこのステータスデータに基づき、ＣＰＵ４５が、トランスミッター１の音声歪みの有無をビューファインダー４に表示させる。
【００６０】
レシーバー２側の位置にいるカメラマンは、このビデオカメラ３のビューファインダー４の表示を見ることにより、トランスミッター１の音声歪みの有無を簡単に確認することができる。
【００６１】
これにより、話者の声が予想外に大きかったり周囲に大きな雑音（車の騒音等）が発生したことによりトランスミッター１に音声歪みが発生した場合に、従来のようにヘッドホンやスピーカといった機材や知識や経験を必要とすることなく、音声歪みが発生したことを即時に確認して、例えばアナウンサーにインタビューの一時中断やトランスミッター１と話者との距離を離すことを指示することができる。
【００６２】
また、ビデオカメラ３の操作パネル４７の調整ボタン４７ａを操作すれば、その操作内容を示す制御データがビデオカメラ３からトランスミッター１に無線送信され、そのデータに基づいてトランスミッター１内のＡＴＴ１１での減衰量が制御される。
【００６３】
したがって、トランスミッター１を使用しているアナウンサーにインタビューを中断させることなく、カメラマンのほうで即座にトランスミッター１の音声歪みを解消して、良好な音声レベルでの収録を継続することもできる。
【００６４】
さらに、操作パネル４７の設定ボタン４７ｂで設定を行うことにより、ビデオカメラ３での録音レベルの変動を伴うことなくトランスミッター１の音声歪みを解消することも可能になる。このことを、図８を用いて説明する。図８は、縦軸に音声信号のレベルをとって、トランスミッター１内のＡＴＴ１１でのレベルの減衰量と、ビデオカメラ３内の可変ボリューム４４でのレベルの調整量と、ビデオカメラ３での録音レベルとの関係を示す図である。
【００６５】
この図８には、ＡＴＴ１１での減衰量が０ｄＢである場合の音声レベルを実線で示し、ＡＴＴ１１での減衰量が０ｄＢよりも大きくなった場合の音声レベルを一点鎖線で示している。トランスミッター１の音声歪みを解消するためにＡＴＴ１１での減衰量を大きくすると、そのままではビデオカメラ３での録音レベルが減少することがわかる。
【００６６】
これに対し、この図９に破線で示すように、ＡＴＴ１１での減衰量の増加に連動して可変ボリューム４４で音声レベルを上げることにより、録音レベルの変動を伴うことなく、トランスミッター１の音声歪みを解消することができる。
【００６７】
そして、操作パネル４７の設定ボタン４７ｂで事前に設定を行っておけば、ＡＴＴ１１に対する制御と可変ボリューム４４に対する制御とが自動的に連動するので、調整ボタン４７ａの操作と同時に可変ボリューム４４用の調整ボタンを操作するというような面倒な作業を行うことなく、録音レベルの変動を防止することが可能になる。
【００６８】
〔オーディオミキサーに音声信号を入力させるシステム〕
次に、図９は、本発明を適用した音声伝送システムの別の一例を示す図である。このシステムは、ＥＮＧ取材での音声収録のために、ワイヤレスマイクロホンを用いて伝送した音声をオーディオミキサーに入力させるようにしたものである。
【００６９】
このシステムにおいて、トランスミッター１及びレシーバー２は、図４のシステムで用いているトランスミッター１及びレシーバー２と同一構成（図５参照）なのでここでも図４と同一符号を付している。
【００７０】
トランスミッター１は、インタビューを行うアナウンサーが使用する。レシーバー２は、オーディオミキサー５にケーブルで接続する。そして、レシーバー２からオーディオミキサー５に入力された音声信号を、音声担当のスタッフ（図示略）がオーディオミキサー５でミキシングまたはスイッチングする。オーディオミキサー５から出力した音声信号は、図示しないＶＴＲ（または、オーディオレコーダーや、レコーダー一体型のビデオカメラ）に収録される。
【００７１】
このシステムでは、オーディオミキサー５を操作する音声担当のスタッフが、オーディオミキサー５の筐体表面の表示部６を見ることにより、トランスミッター１の音声歪みの有無を確認するようになっている。さらに、トランスミッター１で音声歪みが発生した場合、音声担当のスタッフが、オーディオミキサー５の操作パネルを操作することによってトランスミッター１の入力音声レベルを調整するようになっている。
【００７２】
図１０は、このような方法での音声歪みの確認を可能にするためのオーディオミキサー５の構成の概要を示すブロック図である。このオーディオミキサー５は、４チャンネルの音声信号をミキシング可能なオーディオミキサーであり、４つの音声入力端子５１ａ〜５１ｄが設けられている。
【００７３】
各音声入力端子５１ａ〜５１ｄに入力した音声信号は、それぞれアンプ５２ａ〜５２ｄ，可変ボリューム（フェーダ）５３ａ〜５３ｄ，オン／オフを切り替え可能なスイッチ５４ａ〜５４ｄを介して、ミキシングアンプ５５に供給される。そして、ミキシングアンプ５５の出力音声信号が、可変ボリューム５６を介して音声出力端子５７から出力される。
【００７４】
また、オーディオミキサー５には、各音声入力端子５１ａ〜５１ｄに１対１に対応させて、レシーバー２の通信端子２８（図５）と同一仕様のシリアル通信用の通信端子５８ａ〜５８ｄが設けられている。
【００７５】
レシーバー２の音声出力端子２６，通信端子２８（図５）は、音声入力端子５１ａ〜５１ｄ，通信端子５８ａ〜５８ｄのうちの対応する音声入力端子，通信端子にそれぞれケーブルで接続されている（例えば、音声出力端子２６が音声入力端子５１ａに接続される場合は、通信端子２８は通信端子５８ａに接続されている）。
【００７６】
各通信端子５８ａ〜５８ｄに入力したデータは、オーディオミキサー５内を制御するＣＰＵ５９に送られる。
【００７７】
ＣＰＵ５９は、通信端子５８ａ〜５８ｄのうちのいずれかから前述の音声歪みのステータスデータが送られると、そのステータスデータに基づき、ＬＣＤドライバ６０（図９の表示部６を構成している液晶ディスプレイを駆動する回路）を制御して、トランスミッター１の音声歪みの有無を表示部６に表示させる。
【００７８】
図１１は、表示部６でのこの音声歪みの有無の表示例を示す図である。表示部６には、オーディオレベルメータの表示位置の上側に、各音声入力端子５１ａ〜５１ｄに１対１に対応した‘ＴＸ１’〜‘ＴＸ４’という文字から成るインジケータが、通常は暗く（消灯して）表示されている。そして、音声歪みが発生したことを示すステータスデータが例えば通信端子５８ａに入力すると、音声入力端子５１ａに対応しているインジケータ‘ＴＸ１’を明るく点灯表示させる。
【００７９】
図１０に示すように、オーディオミキサー５の操作パネル６１には、トランスミッター１のＡＴＴ１１（図５）での減衰量を例えば０ｄＢ，−３ｄＢ，−６ｄＢ，…というような３ｄＢ単位で調整するための調整ボタン６１ａが設けられている。さらに、操作パネル６１には、この調整ボタン６１ａによる減衰量とオーディオミキサー５内の可変ボリューム５３ａ〜５３ｄの調整量の対応関係を設定するための設定ボタン６１ｂが設けられている。これらのボタン６１ａ，６１ｂの役割は、図６に示したビデオカメラ３の操作パネル４７の調整ボタン４７ａ，設定ボタン４７ｂの役割と同じである。
【００８０】
また、オーディオミキサー５には、ブルートゥース規格に準拠した無線送受信部６２が設けられている。
【００８１】
ＣＰＵ５９は、調整ボタン６１ａが操作されると、その操作内容を示す制御データを、無線送受信部６２から、トランスミッター１の無線送受信部２０（図５）に送信する。
【００８２】
前述のように、トランスミッター１のＣＰＵ１９（図５）は、無線送受信部２０に受信されたこの操作内容を示す制御データに基づいてＡＴＴ１１（図５）での減衰量を制御する。
【００８３】
またＣＰＵ５９は、設定ボタン６１ｂで設定が行われている場合には、調整ボタン６１ａが操作されたことに応じて、設定ボタン６１ｂでの設定内容に基づいて、可変ボリューム５３ａ〜５３ｄのうち、レシーバー２からの音声信号が供給されている可変ボリューム（例えば、レシーバー２から音声入力端子５１ａに音声信号が入力される場合は、可変ボリューム５３ａ）を制御する。
【００８４】
この図９のシステムでは、トランスミッター１内部での音声歪みの検出結果を示すステータスデータが、トランスミッター１から電波として送信される。
【００８５】
レシーバー２では、トランスミッター１から受信した電波からこのステータスデータが取得されて、このステータスデータが通信端子２８（図５）から出力される。
【００８６】
オーディオミキサー５では、レシーバー２から入力されるこのステータスデータに基づき、ＣＰＵ５９が、トランスミッター１の音声歪みの有無を表示部６に表示させる。
【００８７】
レシーバー２側の位置にいる音声担当のスタッフは、このオーディオミキサー５の表示部６の表示を見ることにより、トランスミッター１の音声歪みの有無を簡単に確認することができる。
【００８８】
また、トランスミッター１で音声歪みが発生した場合には、オーディオミキサー５の操作パネル６１の調整ボタン６１ａを操作すれば、その操作内容を示す制御データがオーディオミキサー５からトランスミッター１に無線送信され、そのデータに基づいてトランスミッター１内のＡＴＴ１１（図５）での減衰量が制御される。
【００８９】
したがって、トランスミッター１を使用しているアナウンサーにインタビューを中断させることなく、音声担当のスタッフのほうで即座にトランスミッター１の音声歪みを解消して、良好な音声レベルでの収録を継続することができる。
【００９０】
さらに、操作パネル６１の設定ボタン６１ｂで設定を行うことにより、オーディオミキサー５への入力レベルの変動を伴うことなくトランスミッター１の音声歪みを解消することも可能になる。
【００９１】
なお、図４や図９に示したシステムでは、ビデオカメラ３の操作パネル４７（図６）やオーディオミキサー５の操作パネル６１（図１０）の操作によってトランスミッター１内のＡＴＴ１１での減衰量が制御されるようになっている。しかし、別の例として、レシーバー２の筐体表面に設けられている操作部の操作によってトランスミッター１内のＡＴＴ１１での減衰量を制御する（ビデオカメラ３やオーディオミキサー５では音声歪みの有無の表示だけを行う）ようにしてもよい。
【００９２】
図１２は、そのようにした場合のレシーバー２の構成をトランスミッター１とともに示すブロック図であり、図５と共通する部分には同一符号を付して重複説明を省略する。この例では、レシーバー２の操作部２９に、トランスミッター１のＡＴＴ１１での減衰量を例えば０ｄＢ，−３ｄＢ，−６ｄＢ，…というような３ｄＢ単位で調整するための調整ボタン２９ａが設けられている。この調整ボタン２９ａの役割は、図６に示したビデオカメラ３の操作パネル４７の調整ボタン４７ａの役割と同じである。
【００９３】
また、レシーバー２には、ブルートゥース規格に準拠した無線送受信部３０が設けられている。
【００９４】
ＣＰＵ２７は、調整ボタン２９ａが操作されると、その操作内容を示す制御データを、無線送受信部３０から、トランスミッター１の無線送受信部２０に送信させる。
【００９５】
レシーバー２はビデオカメラ３やオーディオミキサー５のすぐそばに位置しているので、この例のようにレシーバー２の操作部２９を操作するようにしても、カメラマンや音声担当のスタッフのほうで即座にトランスミッター１の音声歪みを解消することが可能である。
【００９６】
あるいは、さらに別の例として、トランスミッター１内のＡＴＴ１１での減衰量を制御する操作はビデオカメラ３の操作パネル４７（図６）やオーディオミキサー５の操作パネル６１（図１０）で行うが、その操作内容を示す制御データの無線送受信のほうはレシーバー２・トランスミッター１間で行うようにしてもよい。
【００９７】
図１３は、図４のシステムを例にとって、そのようにした場合のレシーバー２及びビデオカメラ３の構成をトランスミッター１とともに示すブロック図であり、図１２，図６と共通する部分には同一符号を付して重複説明を省略する。この例では、ビデオカメラ３には無線送受信部（図６に示した無線送受信部４８）は設けられておらず、ＣＰＵ４５は、調整ボタン４７ａの操作内容を示す制御データを、通信端子４２からレシーバー２に出力する。
【００９８】
レシーバー２の操作部には、トランスミッター１のＡＴＴ１１での減衰量を調整するためのボタン（図１２に示した調整ボタン２９ａ）は設けられていない（図１３では操作部そのものの図示を省略している）。レシーバー２のＣＰＵ２７は、ビデオカメラ３から通信端子２８に入力されたこの制御データを、無線送受信部３０からトランスミッター１の無線送受信部２０に送信させる。
【００９９】
図１３では図４のシステムを例にとったが、図９のシステムの場合にも、オーディオミキサー５において、ＣＰＵ５９が、調整ボタン６１ａの操作内容を示す制御データを、通信端子５８ａ〜５８ｄのうちレシーバー２に接続されている通信端子からレシーバー２に出力することにより、全く同様にして、その制御データの無線送受信をレシーバー２・トランスミッター１間で行わせることができる。
【０１００】
また、さらに別の例として、ブルートゥース規格に準拠した無線送受信部と、トランスミッター１のＡＴＴ１１での減衰量を調整するための調整ボタンとを設けた専用のリモートコントローラを用意し、そのリモートコントローラをカメラマンや音声担当のスタッフが操作するようにしてもよい。
【０１０１】
また、ビデオカメラ３やオーディオミキサー５（さらにはレシーバー２や専用のリモートコントローラ）とトランスミッター１との間の通信方式としては、ブルートゥース規格に準拠したものに限らず、それ以外の適宜の無線通信方式（例えば赤外線通信）を用いてもよい。
【０１０２】
〔スタジオ内で多チャンネルの音声信号を伝送させるシステム〕
次に、図１４は、本発明を適用した音声伝送システムの別の一例を示す図である。このシステムは、スタジオ内での多チャンネルの音声信号の伝送のために複数台のワイヤレスマイクロホンを用いたものである。
【０１０３】
このシステムにおいて、トランスミッター１は、ハンドマイクタイプのものと腰のベルト等に取り付けるタイプのものとが存在するが、内部構成は図４のシステムで用いているトランスミッター１と同一（図５参照）なのでここでも図４と同一符号を付している。
【０１０４】
各トランスミッター１は、番組出演者等（図示略）が使用する。各トランスミッター１から送信された電波は、４台のワイヤレスマイクロホンレシーバー（以下レシーバーと呼ぶ）７に共通に設けられたアンテナ７１で受信される。
【０１０５】
各レシーバー７は、据置きタイプのレシーバーであり、それぞれ４台のトランスミッターからの４チャンネル分の音声信号を復調可能である。図１５は、レシーバー７の構成例を示すブロック図であり、図５に示したレシーバー２と共通する部分には同一符号を付して重複説明を省略する。
【０１０６】
レシーバー７には、図１４のアンテナ７１が接続されるアンテナ入力端子３１と、アンテナ７１で受信された４チャンネル分の電波に対応する４組のアンプ２２〜音声出力端子２６と、ＣＰＵ３２と、ネットワークインターフェース３３とが設けられている。
【０１０７】
各組の音声出力端子２６から出力された音声信号は、図１４のオーディオミキサー７２に送られる。
【０１０８】
各組のアンパケット化回路２４で抽出された音声歪みのステータスデータは、ＣＰＵ３２に送られる。ＣＰＵ３２は、レシーバー７で受信している各チャンネルの音声信号に関する情報（周波数，音声出力レベル等の情報）をネットワークインターフェース３３から図１４のハブ７３を介してパーソナルコンピュータ７４に送信するが、その情報の１つとして、各組のアンパケット化回路２４からこの音声歪みのステータスデータを送信する。
【０１０９】
図１４のパーソナルコンピュータ７４には、各レシーバー７からハブ７３を介して送信されるこの情報に基づき、各チャンネルの音声信号のモニタリングを行うための情報（音声信号の周波数，音声出力レベル等）をディスプレイ７５に一覧表示するが、その情報のひとつとして、各チャンネルのトランスミッター１の音声歪みの有無をディスプレイ７５に一覧表示する。
【０１１０】
図１６は、パーソナルコンピュータ７４のディスプレイ７５でのこの音声歪みの有無の表示例を示す図である。個々のチャンネルの音声信号に１つずつ割り当てられたモニタリング用に表示エリア７５ａのうち、トランスミッター１に音声歪みが発生しているチャンネルの表示エリア７５ａ（図ではチャンネルＮｏ．が００８の表示エリア７５ａ）の一角に、‘ＰＥＡＫ’という文字から成るインジケータを表示する。他方、音声歪みが発生していないチャンネルの表示エリア７５ａには、こうしたインジケータを表示しない。
【０１１１】
この図１４のシステムでは、トランスミッター１内部での音声歪みの検出結果を示すステータスデータが、トランスミッター１から電波として送信される。
【０１１２】
レシーバー７では、各トランスミッター１から受信した電波からこのステータスデータが取得されて、このステータスデータがパーソナルコンピュータ７４に送信される。
【０１１３】
パーソナルコンピュータ７４では、各レシーバー７から送信されるこのステータスデータに基づき、各トランスミッター１の音声歪みの有無をディスプレイ７５に一覧表示させる。
【０１１４】
レシーバー７側の位置にいる音声担当スタッフ（図示略）は、このパーソナルコンピュータ７４のディスプレイ７５の表示を見ることにより、各トランスミッター１の音声歪みの有無を簡単に確認することができる。
【０１１５】
これにより、多数のトランスミッター１を用いる多チャンネル運用の場合に、どのトランスミッター１に音声歪みが発生しているのかを簡単に確認することができる。
【０１１６】
このシステムにおいても、レシーバー７に、図１２に示した構成のレシーバー２と同様に、トランスミッター１のＡＴＴ１１での減衰量を調整するための調整ボタン（及び、複数チャンネルのうちの任意のチャンネルのトランスミッター１を指定する指定ボタン）と無線送受信部とを設けるようにすれば、ディスプレイ７５の表示を見て音声歪みが発生していることを確認したトランスミッター１の音声歪みを、レシーバー７側の位置にいる音声担当スタッフのほうで解消できるようになる。
【０１１７】
なお、以上の説明では、トランスミッター１から、音声歪みの有無のステータスデータを音声信号に付加したパケット信号を電波として送信している。しかし、別の例として、音声信号が送信される電波を主搬送波として、この主搬送波とは別の周波数帯の副搬送波によって音声歪みの有無のステータスデータをトランスミッター１から送信し、レシーバー２側ではこの副搬送波を受信・復調して音声歪みの有無のステータスデータを取得するようにしてもよい。
【０１１８】
また、以上の説明では、音声信号をデジタル方式で伝送するトランスミッター１及びレシーバー２に本発明を適用している。しかし、本発明は、音声信号をデジタル方式で伝送するかアナログ方式で伝送するかにかかわらず適用可能である。
【０１１９】
音声信号をアナログ方式で伝送するトランスミッター及びレシーバーに本発明を適用する場合、一例として、トランスミッター側では、音声歪み検出回路（図５に示した音声歪み検出回路５）での音声歪みの検出結果を示すステータスデータを、可聴帯域外の周波数のトーン信号としてアナログ音声信号に重畳し、レシーバー側では、復調したアナログ音声信号からこのトーン信号を検出することによってこのステータスデータを取得すようにすればよい。
【０１２０】
あるいはまた、アナログ音声信号が送信される電波を主搬送波として、この主搬送波とは別の周波数帯の副搬送波によって音声歪みのステータスデータをトランスミッターから送信し、レシーバー側では、この副搬送波を受信・復調することによってこのステータスデータを取得するようにしてもよい。
【０１２１】
また、以上の説明において、図４には、レコーダー一体型のビデオカメラに音声信号を入力させるシステムを示した。しかし、本発明は、映像及び音声の記録機能を有しない撮像装置に音声信号を入力させるシステムにおいて、その撮像装置の表示部にトランスミッターの音声歪みの有無を表示するために適用してもよい。また本発明は、撮像機能を有しない映像及び音声の記録装置（例えばＶＴＲ）や音声専用の記録装置に音声信号を入力させるシステムにおいて、その記録装置の表示部にトランスミッターの音声歪みの有無を表示するために適用してもよい。
【図面の簡単な説明】
【０１２２】
【図１】ワイヤレスマイクロホンの外観例を示す図である。
【図２】ワイヤレスマイクロホンを用いたＥＮＧ取材用のシステムを例示する図である。
【図３】ワイヤレスマイクロホンを用いたスタジオ内のシステムを例示する図である。
【図４】本発明を適用した音声伝送システムの一例を示す図である。
【図５】図４のトランスミッター及びレシーバーの構成例を示すブロック図である。
【図６】図４のビデオカメラの構成のうち、本発明に関連する部分を示すブロック図である。
【図７】図４のビデオカメラのビューファインダーでのトランスミッターの音声歪みの有無の表示例を示す図である。
【図８】図６のＣＰＵの制御によるビデオカメラでの録音レベルを示す図である。
【図９】本発明を適用した音声伝送システムの一例を示す図である。
【図１０】図９のオーディオミキサーの構成の概要を示すブロック図である。
【図１１】図９のオーディオミキサーの表示部でのトランスミッターの音声歪みの有無の表示例を示す図である。
【図１２】図４のレシーバーの別の構成例を示すブロック図である。
【図１３】図４のレシーバー及びビデオカメラの別の構成例を示すブロック図である。
【図１４】本発明を適用した音声伝送システムの一例を示す図である。
【図１５】図１４のレシーバーの構成例を示すブロック図である。
【図１６】図１４のパーソナルコンピュータでのトランスミッターの音声歪みの有無の表示例を示す図である。
【符号の説明】
【０１２３】
１  ワイヤレスマイクロホントランスミッター、  ２  ワイヤレスマイクロホンレシーバー、  ３  ビデオカメラ、  ４  ビューファインダー、  ５  オーディオミキサー、  ６  表示部、  ７  ワイヤレスマイクロホンレシーバー、  １１  ＡＴＴ（アッテネータ）、  １４  パケット化回路、  １８  音声歪み検出回路、  １９  ＣＰＵ、  ２０  無線送受信部、  ２４  アンパケット化回路、  ２７  ＣＰＵ、  ２８  通信端子、  ２９ａ  調整ボタン、  ３０  無線送受信部、  ３２  ＣＰＵ、  ３３  ネットワークインターフェース、  ４２  通信端子、  ４４  可変ボリューム、  ４５  ＣＰＵ、  ４７  操作パネル、  ４７ａ  調整ボタン、  ４７ｂ  設定ボタン、  ４８  無線送受信部、  ５３ａ〜５３ｄ  可変ボリューム、  ５８ａ〜５８ｄ  通信端子、  ５９  ＣＰＵ、  ６１  操作パネル、  ６１ａ  調整ボタン、  ６１ｂ  設定ボタン、  ６２  無線送受信部、  ７４  パーソナルコンピュータ、  ７５  ディスプレイ
【図１】
2008258970.tif 000003
【図２】
2008258970.tif 000004
【図３】
2008258970.tif 000005
【図４】
2008258970.tif 000006
【図５】
2008258970.tif 000007
【図６】
2008258970.tif 000008
【図７】
2008258970.tif 000009
【図８】
2008258970.tif 000010
【図９】
2008258970.tif 000011
【図１０】
2008258970.tif 000012
【図１１】
2008258970.tif 000013
【図１２】
2008258970.tif 000014
【図１３】
2008258970.tif 000015
【図１４】
2008258970.tif 000016
【図１５】
2008258970.tif 000017
【図１６】
2008258970.tif 000018